(57)【特許請求の範囲】
【請求項１】
移動体に搭載され、
放送局からデジタル放送を受信する受信手段と、
この受信手段による前記デジタル放送の受信が可能な前記放送局を選局する選局手段と
を備えたデジタル放送受信装置であって、
前記選局手段は、プリセットボタンの番号、放送局に割り当てられている物理チャンネルおよび放送局名が互いに対応付けられたプリセット情報を記録するプリセット情報記憶部を備えており、前記選局として前記プリセット情報に該当する物理チャンネルが割り当てられている放送局を選局するように形成されており、
通信回線を利用して前記デジタル放送と同一内容のコンテンツをストリーミング受信する通信手段と、
この通信手段に対して前記ストリーミング受信のための制御を行う通信制御手段と
を備え、
前記通信制御手段は、前記受信手段によって任意の放送局から前記デジタル放送を受信していた状態において開始された前記選局手段による前記プリセット情報に基づく他の放送局の選局の処理期間中に、当該受信していたデジタル放送と同一内容のコンテンツをストリーミング受信させ、選局後の前記他の放送局の受信の開始後に前記ストリーミング受信を終了する制御を行うこと
を特徴とするデジタル放送受信装置。
【請求項２】
前記選局手段は、前記他の放送局の選局として、前記受信していたデジタル放送の放送局に対応する中継局または系列局を探すサーチ処理を行うことが可能とされていること
を特徴とする請求項１に記載のデジタル放送受信装置。
【請求項３】
前記選局手段は、前記他の放送局の選局として、前記受信手段によるデジタル放送の受信が可能な放送局を探すスキャン処理を行うことが可能とされていること
を特徴とする請求項１または請求項２に記載のデジタル放送受信装置。
【請求項４】
移動体においてデジタル放送を受信するためのデジタル放送受信方法であって、
任意の放送局から前記デジタル放送を受信していた状態において他の放送局の選局としてプリセットボタンの番号、放送局に割り当てられている物理チャンネルおよび放送局名が互いに対応付けられたプリセット情報に該当する物理チャンネルが割り当てられている放送局の選局を開始する第１のステップと、
この第１のステップにおける他の放送局の選局の開始を契機として、通信回線を利用した前記任意の放送局から受信していたデジタル放送と同一内容のコンテンツのストリーミング受信を開始する第２のステップと、
この第２のステップの後に、前記第１のステップにおいて開始した前記他の放送局の選局による選局された他の放送局の受信を開始して前記他の放送局の選局を終了する第３のステップと、
この第３のステップにおける選局の終了を契機として、前記第２のステップにおいて開始した前記ストリーミング受信を終了する第４のステップと
を含むことを特徴とするデジタル放送受信方法。
【請求項５】
前記プリセット情報に基づく他の放送局の選局が、前記任意の放送局から受信していたデジタル放送と同一内容のデジタル放送の継続受信を目的としたものであるか否か、また、当該選局が、当該受信していたデジタル放送の受信状態に応じた自動的な開始トリガおよびユーザ操作に応じた手動的な開始トリガのいずれによるものかを問わずに、前記第１のステップの後に前記第２乃至第４のステップを順次実行すること
を特徴とする請求項４に記載のデジタル放送受信方法。
【発明の詳細な説明】
【技術分野】
【０００１】
本発明は、デジタル放送受信装置およびデジタル放送受信方法に係り、特に、移動体におけるデジタル放送の受信に好適なデジタル放送受信装置およびデジタル放送受信方法に関する。
【背景技術】
【０００２】
地上デジタル放送受信機やＤＡＢ／ＤＭＢ等のデジタル放送受信機においては、今後、インターネット回線を利用したストリーミング配信と通常の放送波との双方を用いたハイブリッドキャスト端末が主流になると考えられている。
【０００３】
現在、ＮＨＫ技術研究所で開発中のハイブリッドキャスト端末は、放送波を主体としつつ、インターネット回線を利用したライブ放送の他画面表示（野球の場合には、バッターボックス、１累、２累、外野の同時表示）等のサービス提供が可能となっている。この他にも、通信と放送との融合を特徴とした様々な機能の実現に向けた研究開発が進められている。
【０００４】
なお、この種の通信と放送とを連携させた情報配信技術としては、これまでにも、例えば、特許文献１に示すように、移動体端末装置の放送受信状態が悪化したこと、または、移動体端末装置の位置が所定時間後に難視聴エリアに入ることが予想された状態であることが判断された場合に、放送番組の再生から通信部が受信する番組データの再生に切り替える技術が提案されている。
【先行技術文献】
【特許文献】
【０００５】
【特許文献１】特表２００６−５２３４１７号公報
【特許文献２】特開２００６−０５０５５３号公報
【特許文献３】特開２００５−１０１６８０号公報
【発明の概要】
【発明が解決しようとする課題】
【０００６】
しかるに、特許文献１に記載の技術においては、通信を利用することによってデジタル放送と同一内容の番組を継続的に視聴することはできるが、その一方で、或る放送局（受信周波数）を視聴局としてデジタル放送を視聴（受信）していた状態から、他の放送局を選局することになった場合に、この選局の処理期間中に放送が途切れるといった問題には何ら有効に対処することができなかった。
【０００７】
この点について、特許文献２および特許文献３においては、選局の処理期間中における映像の途切れを防止するために、選局の処理期間中にその旨のメッセージ映像その他の映像情報（例えば、ＥＰＧ等）を割り込むことが提案されている。しかし、このようにして割り込まれる映像は、視聴していた放送内容とは大きく異なる内容であるので、ユーザが違和感および受信性能に対する不信感を覚えることがあった。
【０００８】
また、前述のように、ハイブリットキャスト端末は、放送波と同一内容のコンテンツを受信できるというメリットがあるが、車載機等の移動体に搭載する場合には、同一地域において複数の移動体による通信が行われることによって通信回線が混雑（パンク）する虞があるといった移動体ならではの問題点を考慮して、通信回線の占有期間を可及的に短縮させることが必要である。にもかかわらず、特許文献１に記載の技術のように、受信状態の悪化等に応じて即座に通信に切り替えるような構成では、通信に依存する時間は自ずと長くなるため、回線混雑の問題が助長されることが懸念される。
【０００９】
そこで、本発明は、このような点に鑑みなされたものであり、或る放送局からデジタル放送を受信していた状態において開始された他の放送局の選局の処理期間中における放送の途切れを、当該選局の開始前における視聴内容と同一内容のコンテンツを以て違和感無く補完することができるとともに、通信回線の占有期間を抑えることができるデジタル放送受信装置およびデジタル放送受信方法を提供することを目的とするものである。
【課題を解決するための手段】
【００１０】
前述した目的を達成するため、本発明に係るデジタル放送受信装置は、移動体に搭載され、放送局からデジタル放送を受信する受信手段と、この受信手段による前記デジタル放送の受信が可能な前記放送局を選局する選局手段とを備えたデジタル放送受信装置であって、前記選局手段は、プリセットボタンの番号、放送局に割り当てられている物理チャンネルおよび放送局名が互いに対応付けられたプリセット情報を記録するプリセット情報記憶部を備えており、前記選局として前記プリセット情報に該当する物理チャンネルが割り当てられている放送局を選局するように形成されており、通信回線を利用して前記デジタル放送と同一内容のコンテンツをストリーミング受信する通信手段と、この通信手段に対して前記ストリーミング受信のための制御を行う通信制御手段とを備え、前記通信制御手段は、前記受信手段によって任意の放送局から前記デジタル放送を受信していた状態において開始された前記選局手段による前記プリセット情報に基づく他の放送局の選局の処理期間中に、当該受信していたデジタル放送と同一内容のコンテンツをストリーミング受信させ、選局後の前記他の放送局の受信の開始後に前記ストリーミング受信を終了する制御を行うことを特徴としている。
【００１１】
また、本発明に係るデジタル放送受信方法は、移動体においてデジタル放送を受信するためのデジタル放送受信方法であって、任意の放送局から前記デジタル放送を受信していた状態において他の放送局の選局としてプリセットボタンの番号、放送局に割り当てられている物理チャンネルおよび放送局名が互いに対応付けられたプリセット情報に該当する物理チャンネルが割り当てられている放送局の選局を開始する第１のステップと、この第１のステップにおける他の放送局の選局の開始を契機として、通信回線を利用した前記任意の放送局から受信していたデジタル放送と同一内容のコンテンツのストリーミング受信を開始する第２のステップと、この第２のステップの後に、前記第１のステップにおいて開始した前記他の放送局の選局による選局された他の放送局の受信を開始して前記他の放送局の選局を終了する第３のステップと、この第３のステップにおける選局の終了を契機として、前記第２のステップにおいて開始した前記ストリーミング受信を終了する第４のステップとを含むことを特徴としている。
【００１２】
そして、このような本発明によれば、任意の放送局からデジタル放送を受信していた状態において開始されたプリセット情報に基づく他の放送局の選局の処理期間に合わせて、通信回線を利用した当該デジタル放送と同一のコンテンツのストリーミング受信を開始すると共に、
他の放送局の選局によって選局された他の放送局の受信を開始してから当該ストリーミング受信を終了するので、当該選局の処理期間中における放送の途切れを違和感無く補完することができるとともに、当該ストリーミング受信を時間的に限定的に行うことができるので、通信回線の占有期間を抑えることができる。
【００１３】
さらに、本発明のデジタル放送受信装置において、前記選局手段は、前記他の放送局の選局として、前記受信していたデジタル放送の放送局に対応する中継局または系列局を探すサーチ処理を行うことが可能とされていてもよい。
【００１４】
そして、このような構成によれば、選局の開始前に視聴していた放送内容と同一の放送内容を選局後の他の放送局（中継局／系列局）からの放送波によって継続的に視聴する場合において、選局の処理期間としてのサーチ処理期間中における放送の途切れを放送内容と同一内容のコンテンツを以て違和感無く補完することによって、同一の放送内容の継続的な視聴を途切れ感少なく実現することができる。
【００１５】
さらにまた、本発明のデジタル放送受信装置において、前記選局手段は、前記他の放送局の選局として、前記受信手段によるデジタル放送の受信が可能な放送局を探すスキャン処理を行うことが可能とされていてもよい。
【００１６】
そして、このような構成によれば、選局後に視聴される放送内容が選局の開始前に視聴していた放送内容と異なる場合においても、選局の処理期間としてのスキャン処理期間中における放送の途切れをスキャン処理の開始前における放送内容と同一内容のコンテンツを以て違和感無く補完することによって、放送内容の切替えを滑らかに行うことができる。
【００１７】
また、本発明のデジタル放送受信方法において、前記プリセット情報に基づく他の放送局の選局が、前記任意の放送局から受信していたデジタル放送と同一内容のデジタル放送の継続受信を目的としたものであるか否か、また、当該選局が、当該受信していたデジタル放送の受信状態に応じた自動的な開始トリガおよびユーザ操作に応じた手動的な開始トリガのいずれによるものかを問わずに、前記第１のステップの後に前記第２乃至第４のステップを順次実行してもよい。
【００１８】
そして、このような方法によれば、任意の放送局からデジタル放送を受信していた状態において開始されたプリセット情報に基づく他の放送局の選局の処理期間中における放送の途切れを通信回線を利用して放送内容と同一内容のコンテンツを以て補完するにあたって、その前提条件としての選局の態様を制限を緩和することができるので、利便性を向上させることができる。
【発明の効果】
【００１９】
本発明によれば、或る放送局からデジタル放送を受信していた状態において開始されたプリセット情報に基づく他の放送局の選局の処理期間中における放送の途切れを、当該選局の開始前における視聴内容と同一内容のコンテンツを以て違和感無く補完することができるとともに、通信回線の占有期間を抑えることができる。
【図面の簡単な説明】
【００２０】
【図１】本発明に係るデジタル放送受信装置の実施形態を示す構成図
【図２】図１のデジタル放送受信装置による受信状態の一例を示すタイムチャート
【図３】本発明に係るデジタル放送受信方法の実施形態を示すフローチャート
【図４】本発明に係るデジタル放送受信装置の変形例を示す構成図
【発明を実施するための形態】
【００２１】
以下、本発明に係るデジタル放送受信装置として、移動体の一例である車載機に搭載されたハイブリッドキャスト端末の一例としての車載用デジタル放送受信装置の実施形態について、図１および図２を参照して説明する。
【００２２】
図１に示すように、本実施形態における車載用デジタル放送受信装置１は、受信手段としての放送用フロントエンド２を有している。この放送用フロントエンド２は、地上デジタル放送等のデジタルテレビ放送の放送波を不図示のアンテナを介して受信するようになっている。また、放送用フロントエンド２は、受信された放送波から、選局された放送局（換言すれば、受信周波数もしくはチャンネル）に該当する放送信号を抽出（選択受信）するようになっている。さらに、放送用フロントエンド２は、抽出された放送信号をＯＦＤＭ（Orthogonal Frequency Division Multiplexing）復調することによって、トランスポートストリーム（ＴＳ）を取得するようになっている。このＯＦＤＭ復調は、誤り訂正をともなってもよい。そして、放送用フロントエンド２は、取得されたトランスポートストリームを後段に出力するようになっている。
【００２３】
また、図１に示すように、放送用フロントエンド２の後段には、ＭＰＥＧデコーダ３が接続されており、このＭＰＥＧデコーダ３には、放送用フロントエンド２から出力されたトランスポートストリームが入力されるようになっている。そして、ＭＰＥＧデコーダ３は、入力されたトランスポートストリームをデコードすることによって、オーディオデータおよびビデオデータを取得し、取得されたオーディオ／ビデオデータを後段に出力するようになっている。このとき、デコードによって取得される情報には、放送信号に該当する放送番組に関連する情報である番組関連情報が含まれている。この番組関連情報は、ＰＳＩ（番組特定情報：Program Specific Information）／ＳＩ（Service Information）であってもよい。
【００２４】
さらに、図１に示すように、ＭＰＥＧデコーダ３の後段には、ＤＳＰ（Digital Signal Processor）４が接続されており、このＤＳＰ４には、ＭＰＥＧデコーダ３から出力されたオーディオ／ビデオデータが入力されるようになっている。そして、ＤＳＰ４は、入力されたオーディオ／ビデオデータを、不図示の音声／映像の出力段（表示部、音声出力部）に出力するようになっている。
【００２５】
これにより、通常の放送波に基づいたデジタルテレビ放送の視聴が可能となっている。
【００２６】
一方、図１に示すように、車載用デジタル放送受信装置１には、スマートフォン（例えば、ｉＰｈｏｎｅ（登録商標））等の通信端末５が接続可能とされており、車載用デジタル放送受信装置１は、接続状態の通信端末５との間で、有線（例えば、ＵＳＢ）または無線（例えば、Ｂｌｕｅｔｏｏｔｈ（登録商標））による通信が可能とされている。
【００２７】
また、図１に示すように、車載用デジタル放送受信装置１は、通信手段としての通信データ受信部６を有している。この通信データ受信部６は、通信端末５との間での通信によってインターネット回線７に接続し、インターネットを通じてデジタルテレビ放送と同一内容（換言すれば、同一番組）のコンテンツを放送局からストリーミング受信することが可能とされている。ただし、前提として、放送局側では、例えば、ストリーミング配信用のサーバを介して、放送波と同期して放送波による放送内容と同一内容のコンテンツをリアルタイム配信することが可能に構成されている。また、通信データ受信部６のストリーミング受信は、放送局のストリーミング受信用の所定のアドレス（コンテンツに対応付けられたアドレス）を指定した放送局へのコンテンツの要求によって行われるようにしてもよい。さらに、通信データ受信部６は、ストリーミング受信の際に、インターネットプロトコルで配信されたコンテンツからトランスポートストリームを取得し、取得されたトランスポートストリームをデコードしてオーディオデータおよびビデオデータを取得し、取得されたオーディオ／ビデオデータをＤＳＰ４に出力するようになっている。そして、ＤＳＰ４は、このような通信データ受信部６からのオーディオ／ビデオデータの入力があった場合には、これを音声／映像の出力段に出力するようになっている。
【００２８】
これにより、通信回線を利用したデジタルテレビ放送と同一内容のコンテンツの視聴が可能となっている。
【００２９】
さらに、図１に示すように、車載用デジタル放送受信装置１は、ＣＰＵ８を有しており、このＣＰＵ８は、不図示の記憶部（ＲＯＭ等）に記憶されたプログラムを実行することによって、車載用デジタル放送受信装置１の動作を制御するようになっている。
【００３０】
例えば、ＣＰＵ８は、放送用フロントエンド２（チューナとしての機能）に対して種々の選局の制御を行うようになっている。その１つとして、ＣＰＵ８は、放送用フロントエンド２に対して、車両（車載用デジタル放送受信装置１）の現在地においてデジタルテレビ放送を受信可能な放送局を探すスキャン処理（チャンネルスキャン）のための選局制御を行うようになっている。この選局制御にしたがったスキャン処理において、放送用フロントエンド２は、既知の複数の物理チャンネル（１３〜６２ｃｈ）をチャンネル番号の昇順に順次選局（スキャン）して行き、各物理チャンネル毎の受信状態情報（受信電界強度、Ｃ／Ｎ比、誤り訂正率等）に基づいて、各物理チャンネルに割り当てられている受信可能な放送局の有無を逐次判定するとによって、受信可能な放送局を見つけ出すようになっている。このとき、放送用フロントエンド２は、受信状態が良好な放送局を優先的に受信可能な放送局に決定してもよい。
【００３１】
さらに、ＣＰＵ８は、このようなスキャン処理によって見つけ出された受信可能な放送局を、不図示のリモコンのプリセットボタン（リモコンボタン）に対応付けて登録するプリセットを行うようになっている。このプリセットは、例えば、プリセットボタンの番号、放送局に割り当てられている物理チャンネル（受信周波数でもよい）および放送局名が互いに対応付けられたプリセット情報を、車載用デジタル放送受信装置１に内蔵のプリセット情報記憶部に記録することによって行うようになっている。なお、放送局名や物理チャンネルは、スキャン処理によって取得された番組関連情報から抽出すればよい。また、放送局をどの番号のプリセットボタンに対応付けてプリセットするかについては、番組関連情報に含まれているプリセットボタンの番号を指定する情報に基づいて決定してもよい。
【００３２】
以上のようなスキャン処理およびこの結果に基づいたプリセットは、初期設定の際の画面操作（ユーザ操作）に応じて行われる場合もあれば、現在の視聴局の受信状態の悪化にともなうユーザ指令に応じた再設定として行われる場合もある。なお、これ以降、再設定として行うスキャン処理のことを、特に、再スキャン処理と称することとする。再スキャン処理を行った場合には、再スキャン処理の開始前の視聴局に対応付けられていたプリセットボタンに他の放送局が割り当てられる等の事情によって、視聴内容が変更することが通常である。
【００３３】
さらにまた、ＣＰＵ８は、選局の制御の１つとして、ユーザがプリセット済みのプリセットボタンを操作すると、前述したプリセット情報記憶部から、操作されたプリセットボタンの番号に該当するプリセット情報を読み出すようになっている。そして、ＣＰＵ８は、読み出されたプリセット情報に該当する物理チャンネルが割り当てられている放送局を選局するように、放送用フロントエンド２に対する選局制御を行うようになっている。この選局制御にしたがって、放送用フロントエンド２は、操作されたプリセットボタンに対応付けられた放送局を選局するようになっている。これにより、プリセットボタンに対応付けられた放送局の放送信号が放送用フロントエンド２によって受信され、その放送内容が、復調、誤り訂正、デコードを経て映像／音声出力されることになる。
【００３４】
また、ＣＰＵ８は、選局の制御の１つとして、視聴局に対応する中継局または系列局を探すサーチ処理のための選局制御を行うようになっている。なお、中継局は、視聴局のデジタル放送を中継する放送局であり、視聴局とは受信周波数が異なっている。また、系列局は、視聴局と同系列の放送局であり、視聴局とは受信周波数が異なっている。
【００３５】
ここで、まず、ＣＰＵ８の選局制御にしたがった中継局のサーチ処理（以下、中継局サーチ処理と称する）について説明する。すなわち、まず、ＣＰＵ８は、前述のようにしてプリセットボタンの操作によって選局されて放送内容が受信（視聴）されている視聴局の受信状態が悪化したことを、受信状態情報に基づいて検知し、これを契機として、放送用フロントエンド２に中継局サーチ処理を指令するようになっている。次いで、放送用フロントエンド２は、例えば、視聴局の番組関連情報の中から、視聴局に対応する中継局に関する情報（以下、中継局関連情報と称する）を取得するようになっている。この中継局関連情報は、中継局の受信周波数（チャンネル）や放送局名等であってもよく、また、複数の中継局に関する情報であってもよい。次いで、放送用フロントエンド２は、取得された中継局関連情報が示す物理チャンネルを選局することによって、中継局を選局するようになっている。そして、ＣＰＵ８は、このようにして選局された中継局の受信状態情報に基づいて、中継局が受信可能であるか否かを判定した上で、受信可能と判定された場合には、中継局サーチ処理によって中継局が適正に見つかったと判断するようになっている。なお、中継局が複数存在する場合には、受信状態が最も良好な中継局を受信局に決定してもよい。次いで、ＣＰＵ８は、中継局サーチ処理によって中継局が見つかった場合には、見つかった中継局を、複数のプリセットボタンにおける視聴局が対応付けてプリセットされていたプリセットボタンに対応付けてプリセットするようになっている。
【００３６】
これにより、同一のプリセットボタンの選択のままで、中継局サーチ処理の開始前に視聴していた放送内容と同一の放送内容を、中継局サーチ処理後において引き続き視聴することができる。
【００３７】
次に、ＣＰＵ８の選局制御にしたがった系列局のサーチ処理（以下、系列局サーチ処理と称する）について説明する。すなわち、まず、ＣＰＵ８は、中継局サーチ処理によって受信可能な中継局が見つからなかったと判断した場合には、これを契機として、放送用フロントエンド２に系列局サーチ処理を指令するようになっている。次いで、放送用フロントエンド２は、各物理チャンネル（１３〜６２ｃｈ）の中から、視聴局と同系列の受信可能な系列局を、視聴局に割り当てられていた物理チャンネルを始点として、チャンネル番号の昇順にサーチするようになっている。この系列局サーチにおいては、放送用フロントエンド２によって順次選局される放送局の番組関連情報を、視聴局のプリセット情報と比較することによって、放送局が視聴局の系列局であるか否かを判定するようになっている。このとき、系列局が受信可能であることについては、系列局の受信状態情報（受信電界強度等）が閾値以上を示すことに基づいて判別すればよい。そして、このような系列局サーチ処理によって系列局が見つかった場合には、ＣＰＵ８は、見つかった系列局を、視聴局が対応付けてプリセットされていたプリセットボタンに対応付けてプリセットするようになっている。
【００３８】
これにより、同一のプリセットボタンの選択のままで、系列局サーチ処理の開始前に視聴していた放送内容と同一の放送内容を、系列局サーチ処理後において引き続き視聴することができる。
【００３９】
そして、このような構成を備えた上で、本実施形態において、ＣＰＵ８は、通信制御手段として機能するようになっている。すなわち、ＣＰＵ８は、通信データ受信部６に対して、前述したストリーミング受信を時間的に限定的に行わせるための制御を行うようになっている。具体的には、ＣＰＵ８は、放送用フロントエンド２によって任意の視聴局からデジタルテレビ放送を受信していた状態において開始された放送用フロントエンド２による他の放送局の選局の処理期間中に限定して、当該受信していたデジタルテレビ放送と同一内容のコンテンツをストリーミング受信させるための制御を行うようになっている。この場合における選局の種類は、前述したユーザ操作を開始トリガ（手動的な開始トリガ）とした再スキャン処理であってもよく、または、受信状態（受信状態情報）の悪化や中継局サーチの失敗を開始トリガ（自動的な開始トリガ）とした中継局／系列局サーチ処理であってもよく、あるいは、通常のリモコンボタン変更操作による選局処理であってもよい。また、当該制御の際に、ＣＰＵ８は、視聴局のストリーミング受信用のアドレスを、例えば、番組関連情報から取得した上で、通信データ受信部６に、取得されたアドレスを指定したコンテンツの要求を行わせることによって、視聴局のストリーミング配信用のサーバに自動アクセスさせて放送内容と同一内容のコンテンツのストリーミング受信を開始させるようにしてもよい。なお、このようなストリーミング受信の期間中においては、ＣＰＵ８は、ＭＰＥＧデコーダ３への制御によって、放送波に対応するオーディオ／ビデオデータの後段への出力を禁止するようになっている。
【００４０】
このような構成によれば、例えば、図２のタイムチャートに示すように、任意の視聴局からデジタル放送を受信していた状態において開始された他の放送局の選局の処理期間に合わせた時間的に限定的なストリーミング受信を行うことによって、当該選局の処理期間中における放送の途切れを当該選局の開始前に視聴していた放送内容と同一内容のコンテンツを以て違和感無く補完することができるとともに、通信回線の占有期間を抑えることができる。また、ストリーミング受信の前提条件としての選局の態様の制限を緩和することができるので、利便性を向上させることができる。なお、図２においては、選局処理の開始からストリーミング受信の開始までの間に、ストリーミング受信の対象コンテンツの要求のための所要時間があるが、この期間は短いほど望ましい。また、図２において、ストリーミング受信の終了時点は、選局後の放送局からの受信の開始時点よりも若干遅れているが、映像／音声の出力段においては、選局後の放送局からの受信の開始時点におけるＤＳＰ４による出力データの切替え処理によって、ストリーミング受信コンテンツから放送データへと出力対象が切り替えられている。ただし、ＣＰＵ８は、選局後の放送局からの受信の開始後、遅滞なく通信データ受信部６にストリーミング受信を終了させて通信回線７を遮断させることが望ましい。
【００４１】
次に、前述した車載用デジタル放送受信装置１を適用した本発明に係るデジタル放送受信方法の実施形態について、図３を参照して説明する。
【００４２】
なお、便宜上、図３の初期状態においては、放送用フロントエンド２によって、任意の１つの視聴局からのデジタルテレビ放送の受信（視聴）が行われているものとする。
【００４３】
そして、初期状態から、図３のステップ１（ＳＴ１）において、ＣＰＵ８の選局制御の下で、放送用フロントエンド２により、視聴局の他の放送局の選局処理を開始する。この選局処理は、前述した再スキャン処理、中継局／系列局サーチ処理またはプリセットボタン操作による選局処理のいずれであってもよい。ただし、再スキャン処理の場合には、視聴局と同一局が再度受信局とならないように、視聴局の受信状態が悪化したことを前提とした処理であることに限定してもよい。この場合には、視聴局の受信状態の悪化を前提としない再スキャン処理は、ステップ１（ＳＴ１）の選局処理には含まれない。
【００４４】
次いで、ステップ２（ＳＴ２）において、ＣＰＵ８の制御の下で、ステップ１（ＳＴ１）における選局処理の開始を契機として、通信データ受信部６により、通信回線７を利用した視聴局が受信していたデジタル放送と同一内容のコンテンツのストリーミング受信を開始する。
【００４５】
次いで、ステップ３（ＳＴ３）において、ＣＰＵ８により、放送用フロントエンド２の受信状態に基づいて、ステップ１（ＳＴ１）において開始した他の放送局の選局処理が完了したことを判断した上で、放送用フロントエンド２への選局制御によって当該選局処理を終了させる。
【００４６】
次いで、ステップ４（ＳＴ４）において、ＣＰＵ８の制御の下で、ステップ３（ＳＴ３）における選局の終了を契機として、通信データ受信部６により、ステップ２（ＳＴ２）において開始したストリーミング受信を終了する。
【００４７】
なお、本発明は、前述した実施の形態に限定されるものではなく、本発明の特徴を損なわない限度において種々変更することができる。
【００４８】
例えば、前述した実施形態のように、通信端末５を外部モデムとして用いる代わりに、図４に示すように、放送用フロントエンド２に内蔵モデム２ａを設けることによってインターネット回線７への接続を可能ならしめてもよい。
【００４９】
また、前述した実施形態においては、ストリーミング受信コンテンツから選局処理後の放送データへの出力の切替え（図２参照）を、オーディオ／ビデオデータの段階において行っているが、例えば、中継局／系列局サーチ処理を行う場合には、ＣＰＵを兼ねたＭＰＥＧデコーダ３に、放送用フロントエンド２からのトランスポートストリームと通信データ受信部６からのトランスポートストリームとの双方が入力されるように構成して、ＭＰＥＧデコーダ３に、双方のトランスポートストリームに対応付けられた時間情報に基づいた受信の切替えタイミングの制御を行わせてもよい。このようにすれば、ストリーミング受信コンテンツから選局処理後の放送データへの出力の切替えをシームレスに行うことができ、放送内容の連続性を向上させることができる。
【００５０】
さらに、本発明は、車載機以外の移動体に適用してもよい。
【符号の説明】
【００５１】
１  車載用デジタル放送受信装置
２  放送用フロントエンド
６  通信データ受信部
７  インターネット回線
８  ＣＰＵ
【図１】
0005975246.tif 000002
【図２】
0005975246.tif 000003
【図３】
0005975246.tif 000004
【図４】
0005975246.tif 000005